(57)【要約】【課題】周囲が明るい時間帯で街路灯等の屋外設置の照明装置が消灯している場合にあっても一目で点灯などの動作が正常行われていたかを確認できる照明装置を提供する。【解決手段】発光部５の点灯が正常に行われたか否かを判定する正常点灯判定回路部１４と、前記正常点灯判定回路部１４による判定により正常と判定された場合に点灯する正常表示部１５とを備える。電源のＯＮ状態を検知する電源検知回路部１２と、発光部５の点灯を検知する点灯状態検知回路部１３と、を備え、前記正常点灯判定回路部１４は、前記電源検知回路部１２および前記点灯状態検知回路部１３からの両検知信号を受け付けることを条件に正常であると判定する。【選択図】図３
2018045823.tif 000002
【特許請求の範囲】
【請求項１】
発光部の点灯が正常に行われたか否かを判定する正常点灯判定回路部と、
前記正常点灯判定回路部による判定により正常と判定された場合に点灯する正常表示部とを備えることを特徴とする照明装置。
【請求項２】
電源のＯＮ状態を検知する電源検知回路部と、
発光部の点灯を検知する点灯状態検知回路部と、を備え、
前記正常点灯判定回路部は、前記電源検知回路部および前記点灯状態検知回路部からの両検知信号を受け付けることを条件に正常であると判定することを特徴とする請求項１に記載の照明装置。
【請求項３】
前記正常表示部による点灯は、前記正常点灯判定回路部による正常判定と、前記電源検知回路部からの検知信号が途絶えたことを条件とする請求項１又は２に記載の照明装置。
【請求項４】
前記正常表示部を覆うものであって一部に開口部を設けた筐体を備え、前記筐体の開口部は設置位置において略鉛直下方向に位置することを特徴とする請求項１乃至３に記載の照明装置。
【請求項５】
初回起動直後に前記発光部の制御方法に関わらず一旦前記電源検知回路部および前記点灯状態検知回路部とを通電状態とし、その後所定の前記発光部の制御方法に移行させることを特徴とする請求項２乃至４に記載の照明装置。
【請求項６】
発光部の点灯が正常に行われたか否かを判定する正常点灯判定処理を行うステップと、前記正常点灯判定処理による判定により正常と判定された場合に正常表示部を点灯させるステップとを含むことを特徴とする照明装置の正常表示方法。
【発明の詳細な説明】
【技術分野】
【０００１】
本発明は、主に生活道路や街路などに設置される街路灯、防犯灯又は道路灯等として用いられる照明装置及び照明装置の正常表示方法に関する。
【背景技術】
【０００２】
低消費電力の発光素子（ＬＥＤ）を光源にした照明装置は、一般家庭はもとより商業施設等でも多く設置され、屋外に設置する街路灯等の照明装置への採用も進んでいる。
【０００３】
たとえば特許文献１に示すように、周囲の明るさを検知する照度センサを備え、当該照度センサが検知した周囲の明るさに応じて光源の状態を点灯および消灯させる技術が従来より知られている。
【０００４】
また、たとえば特許文献２によれば、点灯回路の出力電圧又は出力電流を検出し点灯回路の故障や、ランプのいわゆる球切れを検知するための異常検出部を備える照明装置と、当該異常検出部が異常を検知した場合、その異常に係る情報を通信回線を介して接続される制御ユニットに送信し、当該制御ユニットが当該異常情報を接続されたコンピュータの表示手段に表示することが提案されている。
【先行技術文献】
【特許文献】
【０００５】
【特許文献１】特開２０１３−２０１０１０号公報
【特許文献２】特開２０１５−０６５１７７号公報
【発明の概要】
【発明が解決しようとする課題】
【０００６】
特に街灯などとして利用される屋外設置の照明装置に照度センサによる周囲の明るさに応じた光源の点灯及び消灯の制御がされ、すなわち、屋外設置照明装置の場合、夜間は点灯状態となり、昼間は消灯状態となるのが正常の動作である。
【０００７】
こうした屋外設置照明装置に故障などの異常が発生した場合、夜間であれば点灯状態であれば正常動作であり消灯状態であれば異常動作であると一目で確認ができる。
【０００８】
しかしながら、昼間に異常を確認する場合には一目で容易に確認出来るわけではない。昼間の消灯状態が正常動作の結果消灯状態であるのか、点灯回路や光源の球切れなどの異常の結果消灯状態であるのか、判別できないからである。
【０００９】
この点、特許文献２に記載に手段によれば、そうした異常は検知できるものの、異常信号を受信し制御するための制御ユニットやその内容確認するためのコンピュータおよび表示手段等が必要となるため構成が複雑となる。また、特に屋外設置照明装置の場合には、周囲の安全確保のためにも異常信号を通信等によって一括的に管理するのみならず、人による目視によって簡易かつ容易のその異常を確認出来る方が望ましい。
【課題を解決するための手段】
【００１０】
本発明は、上記課題に鑑みなされたものであり、次のような手段又はステップを含むものである。
（１）発光部の点灯が正常に行われたか否かを判定する正常点灯判定回路部と、前記正常点灯判定回路部による判定により正常と判定された場合に点灯する正常表示部とを備える。
（２）電源のＯＮ状態を検知する電源検知回路部と、発光部の点灯を検知する点灯状態検知回路部と、を備え、前記正常点灯判定回路部は、前記電源検知回路部および前記点灯状態検知回路部からの両検知信号を受け付けることを条件に正常であると判定する。
（３）前記正常表示部による点灯は、前記正常点灯判定回路部による正常判定と、前記電源検知回路部からの検知信号が途絶えたことを条件とする。
（４）前記正常表示部を覆うものであって一部に開口部を設けた筐体を備え、前記筐体の開口部は設置位置において略鉛直下方向に位置することを特徴とする。
（５）初回起動直後に前記発光部の制御方法に関わらず一旦前記電源検知回路部および前記点灯状態検知回路部とを通電状態とし、その後所定の前記発光部の制御方法に移行させることを特徴とする。
【発明の効果】
【００１１】
本発明によれば、特に昼間などの周囲が明るい時間帯において照明装置が正常に動作しているか否かについて一目で確認することができる。
【図面の簡単な説明】
【００１２】
【図１】本発明に係る照明装置の一例を示す分解図である。
【図２】本発明に係る照明装置の一例を示す採光部及び周囲照度取得部の位置を示す断面図である。
【図３】本発明に係る照明装置の一例を示すブロック図である。
【図４】本発明に係る照明装置の処理の流れの一例を示すフロー図である。
【発明を実施するための形態】
【実施例１】
【００１３】
以下、本実施例に示す照明装置１に関して、主にその構造および各部の位置関係等について図１および図２を参照しつつ説明する。
【００１４】
本発明に係る照明装置１は、上面カバー２、透光カバー３、発光部５、電源部８を備える。上面カバー２は、例えばアルミダイキャストなどの耐食性に優れた素材により一体成形されるもので、透光カバー３と蓋体４はこの上面カバー２の開口部を塞ぐように取り付けられる。透光カバー３はシールパッキンを介在させ、取付ボスによりネジ止めされる。蓋体４は、内部機器等の調整やメンテナンスが容易なように蝶番により開閉可能に連結される。
【００１５】
上面カバー２および透光カバー３とにより形成される空間に、例えばＬＥＤといった発光素子５ａを配設した発光部５が収容される。上面カバー２には、熱伝導板等を介して発光部５による発熱を吸収し装置外部へ放散するためのヒートシンク２ａが一体に成形される。
【００１６】
上面カバー２内には、電源部８が配置される。電源部８は商用交流電源を電圧変換した直流の駆動電源をリード線等を介して光源部５に供給するための装置および回路等の各種手段が備えられる。具体的には、商用交流電源を降圧した直流に変換する整流回路、発光部５を発光させるための点灯回路等である。それら回路を実装した配線基板が電源部８の筐体ケース８ａ内に収容される。
【００１７】
また、照明装置１は基盤９を備えており、当該基盤９には、電源のＯＮ／ＯＦＦ状態を切り替えるリレー部１１と、リレー部１１により電源がＯＮ状態になったことを検知する電源検知回路部１２と、上述した整流回路および点灯回路を備える電源部８と、点灯回路の電流を検知し発光部５が点灯しているか否かを確認するための点灯状態検知回路部１３、電源検知回路部１２からの電源検知信号と、点灯状態検知回路部１３から電流検知信号とを受け付けて、動作の正常性を判定するための正常判定回路部１４といった各種回路等が実装される。
【００１８】
基盤９の透光カバー２側の位置に照明装置１外部から視認可能なように正常判定回路部１４の判定に応じて点灯又は消灯状態となる正常表示部１５を備える。正常表示部１３は、ＬＥＤなどの発光手段であればよいが、昼間など周囲が明るいときにも視認し易いように視認性のよい緑色のＬＥＤが望ましい。
【００１９】
さらに、基盤９は、周囲照度取得手段８ｇ−１から周囲の明るさに係る照度値や無線受信部からの制御信号といった各種情報、信号を処理するためのプロセッサ等の処理装置と照明装置１の動作に必要な情報及びプログラムを記憶する記憶装置等の制御部１０を備える。
【００２０】
なお、特に図１および図２においては図示しないが、無線回線経由で制御信号を受信するための無線受信部、経過時間や時刻に関する情報を取得するためのタイマ等の時間取得手段等を備えるようにしてもよい。
【００２１】
図２に示すように筺状ケース８ａの側部に、周囲照度取得部８ｇ−１としての受光素子が配線基板８ｃに実装されている。周囲照度取得部８ｇ−１に対し外光を導入するための採光部２ｆが筐体ケース８ａと上面カバー２に通孔として形成され、透明素材で形成された採光パッキン５が嵌装されている。
【００２２】
ここで、上面カバー２については、両側部に採光部２ｆを備えつつ、その一方側にのみ周囲照度取得部８ｇ−１を設ける構成にするのが望ましい。これにより周囲照度取得部８ｇ−１を上面カバー２の採光部２ｆの任意の一方に対向させて配置することが可能となる。かかる構成よれば、ノイズとなるような光の光源となる住宅又はビル等が周囲に存在する場合、その光源側ではない採光部２ｆに周囲照度取得部８ｇ−１を対向させることにより、本来点灯すべき夜間において点灯しないといった照明装置１の誤動作を防止することができる。
【００２３】
続いて、照明装置１が備える各部の関係および動作について図３のブロック図参照しつつ詳細に説明する。
ここでは、特に街路灯等として用いられる屋外設置の照明装置１の動作として一般的な周囲の明るさに応じて発光部５を制御する場合（周囲照度制御処理）を前提とする。
【００２４】
街路灯等として利用される屋外設置の照明装置１は、周囲の明るさに応じて発光部５の点灯および消灯を制御することが従来から知られているが、具体的には、制御部１０は周囲照度取得手段８ｇ−１から取得した周囲の明るさを示す照度値と所定の閾値とを比較し、その照度値が閾値より小さい場合、周囲は暗いため発光部５を点灯させる必要有りと判定し、リレー部１１に電源をＯＮ状態にするためのＯＮ信号を送信し、リレー部１１は電源をＯＮ状態にする。
【００２５】
一方、照度値が閾値より大きい場合、制御部１０は、周囲は明るいため発光部５を消灯させる必要有りと判定してＯＦＦ信号をリレー部１１に送信し、これを受け付けたリレー部１１は電源をＯＦＦ状態とする。このように制御部１０は、周囲照度取得部８ｇ−１から得られる照度値（すなわち周囲の明るさ）に応じて、発光部５を点灯させるための電源のＯＮ／ＯＦＦに関する制御を行うものである。
【００２６】
このように周囲照度制御処理により動作している照明装置１において、周囲が暗くなって制御部１０が点灯の必要有りと判定し制御部１０からのＯＮ信号によりリレー部１１が電源をＯＮ状態にした場合、電源検知回路部１２は通電による電流を検知し、これを検知したことを示す電源検知信号を出力する。
【００２７】
電源がＯＮ状態となると電源部８が備える各種回路等により発光部５が点灯状態となるが、点灯状態検知回路部１３は発光部５が正常に点灯したことを確認するため、電源部８の特に点灯回路の電流を検知し、これを検知したことを示す点灯検知信号を出力する。
【００２８】
続いて、正常点灯判定回路部１４の動作について説明する。正常点灯判定回路部１４は、上述した電源検知回路部１２からの電源検知信号および点灯状態検知回路部１３からの点灯検知信号を受け付ける。このように、電源検知回路部１２および点灯状態検知回路部１３からの両信号を受け付けた場合、発光部５が正常に点灯しており正常状態であると判定する。一方で、電源検知回路部１２から電源検知信号を受け付けながら点灯状態検知回路部１３からの信号が無い場合には正常に点灯しない異常状態であると判定する。
【００２９】
このようにして、正常点灯判定回路部１４は動作が正常状態であると判定した場合には、正常表示部１５を点灯させ、正常点灯判定回路部１４が異常状態と判定した場合には、正常表示部１５を消灯させる。
【００３０】
こうすると、正常点灯判定回路部１４により正常状態であると判定された場合、正常表示部１５は点灯状態が維持されることとなるが、これにより、照明装置１の発光部５が昼間の周囲があかるいときに消灯している場合、その消灯が、夜間に異常が発生しその影響で消灯状態を維持しているのか、正常な動作として消灯状態となっているのかを判別することができる。また、何かしらの理由で夜間おいて発光部５を消灯する場合でも故障や異常であるとの誤認を防止することできる。
【００３１】
なお、これまでの説明では、正常点灯判定回路部１４により正常状態であると判定されたときから正常表示部１５を点灯させているが、夜間は通常発光部５が点灯しているため正常表示部１５を確認するまでもなく照明装置１の動作の正常異常を一目で確認することができるため、発光部５が点灯している間は正常表示部１５を消灯状態とし、発光部５が消灯された際に正常表示部１５を点灯させるようにしてもよい。
【００３２】
具体的には、図４のフロー図に示すように、電源検知回路部１２および点灯状態検知回路部１３からの両信号を受け付けて正常状態を検知した時点では正常表示部１５を点灯させず、その後にリレー部１１において電源がＯＦＦされて、電源検知回路部１２からの電源検知信号が途絶えた時点で正常表示部１５を点灯させるようにしてもよい。また、タイマ等の時間取得手段によって、たとえば夜間の所定の時間帯においては正常表示部１５を消灯させるなどの制御を行うようにしてもよい。
【００３３】
これまで説明してきたように、正常点灯判定回路部１４は、電源検知回路部１１および不点灯回路部１３からの信号を受け付けて正常の場合は正常表示部１５を点灯させ、昼間などの明るい時間帯においてその直前の夜間における発光部５の点灯が正常であったか否かを一目で確認できるようにすることを目的としているものである。そのため、照明装置１の点検や修理等を行った後復帰させるような初回起動時の場合においては、異常がないにも関わらず正常表示部１５が点灯しないという不具合が生ずる可能性がある。
【００３４】
具体的には、たとえば、照明装置１に発光部５の球切れなどの不具合が発生し昼間の明るい時間帯に修理作業が行われ当該不具合が解消されたような場合、そのまま照明装置１を起動すると周囲が明るいため周囲照度取得手段８ｇ−１からの照度値によれば消灯が指示されてリレー部１１において電源はＯＮとならず、結果として電源検知回路部１１および点灯状態検知回路部１３が信号を出力できないため、照明装置１に異常がないにも関わらず、正常表示部１５が消灯したままとなってしまう。
【００３５】
これを防ぐために、こうした初回起動時おいては周囲照度取得手段８ｇ−１が取得する照度値に関わらず、制御部１０がリレー部１１にＯＮ信号を送信し電源をＯＮ状態として電源検知回路部１１、不点灯回路部１３を一旦通電状態としてから、照度値による発光制御を行うようにすればよい。
【００３６】
正常表示部１５を備える位置については、図１に示す位置に限らず、点検業者等が照明装置１外部から視認できる位置であればよい。ただ、正常表示部１５の光は点検業者などの一部の関係者のみが確認できればよく一般の歩行者等の邪魔にならないように目立たないようにするのが望ましい。
【００３７】
そのため、正常表示部１５から発した光が拡散しないように、たとえば鉛直下向きに開口部を有する非透光性材質からなる筐体内に正常表示部１５を収納するなどすることにより、光の向きが略鉛直下方向となるように設けるのが望ましい。こうすれば、正常表示部１５のほぼ真下から見上げなければ正常表示部１５の光が確認できなくなるため、昼間に正常表示部１５が点灯していても一般歩行者の邪魔になることはない。
【００３８】
また、これまでの説明においては照明装置１の発光部５の発光制御を周囲の明るさに関する照度値に応じて判定する制御方法を前提に説明してきたが、発光部５の制御方法はこれに限定されない。例えば、適宜無線受信部を備えさせ、無線回線経由で制御信号を受け付けて当該制御信号に応じて制御部１０がリレー部１１の電源状態を切り替える方法である場合であってもよい。
【００３９】
さらに、人感センサを用いて正常表示部１５の表示を、人が所定の範囲に存在する場合にのみ表示させるようにすれば消費電力を抑えることができる。
【符号の説明】
【００４０】
１  照明装置
５  発光部
８  電源部
１０  制御部
１１  リレー部
１２  電源検知回路部
１３  点灯状態検知回路部
１４  正常点灯判定回路部
１５  正常表示部
【図１】
2018045823.tif 000003
【図２】
2018045823.tif 000004
【図３】
2018045823.tif 000005
【図４】
2018045823.tif 000006